(57)【特許請求の範囲】
【請求項１】
トンネルの内周面と型枠との間に形成された打設空間に覆工コンクリートを打設する装置であって、
同時に駆動可能な複数のコンクリートポンプと、
各コンクリートポンプに個別に接続され、前記打設空間に覆工コンクリートを導く複数の圧送管とを備え、
前記各圧送管は、前記型枠内のトンネル幅方向中心においてトンネル縦断方向に延びる主配管と、前記主配管からトンネル幅方向両側へ、トンネル幅方向中心を基準に対称に分岐する枝配管とを含み、
前記複数の圧送管は、互いに前記主配管が前記型枠内のトンネル幅方向の中心において上下に並べて配設され、
前記複数の圧送管は、それぞれの前記枝配管を介してトンネル縦断方向の異なる位置に覆工コンクリートを打設するべく互いに前記枝配管がトンネル縦断方向に関して異なる位置に配設されていることを特徴とする覆工コンクリートの打設装置。
【請求項２】
前記複数のコンクリートポンプが、トンネル幅方向中央から幅方向外側へ外れた位置に配置されている、請求項１に記載の覆工コンクリートの打設装置。
【請求項３】
より上位に配置された前記主配管がより下位に配置された前記主配管よりもトンネル縦断方向に短く形成されている、請求項１又は２に記載の覆工コンクリートの打設装置。
【請求項４】
前記枝配管に、覆工コンクリートの流量を調整する流量調整装置が設けられている、請求項１〜３のいずれか１項に記載の覆工コンクリートの打設装置。
【請求項５】
前記枝配管に、覆工コンクリートの圧力を計測する圧力計が設けられている、請求項１〜４のいずれか１項に記載の覆工コンクリートの打設装置。
【請求項６】
トンネルの内周面と型枠との間に形成された打設空間に覆工コンクリートを打設する装置であって、
同時に駆動可能な複数のコンクリートポンプと、
各コンクリートポンプに個別に接続され、前記打設空間に覆工コンクリートを導く複数の圧送管とを備え、
前記複数の圧送管は、互いにトンネル縦断方向に関して異なる位置で、かつトンネル幅方向の両側に向けて配設され、
前記複数のコンクリートポンプが、トンネル幅方向中央から幅方向外側に外れた位置に配置されていることを特徴とする覆工コンクリートの打設装置。
【請求項７】
請求項１〜６のいずれか１項に記載の打設装置を用いてトンネルの内周面と型枠との間に形成された打設空間に覆工コンクリートを打設する方法であって、
複数のコンクリートポンプを同時に駆動して、トンネル縦断方向の複数位置においてトンネル幅方向の両側に同時に覆工コンクリートを打設することを特徴とする覆工コンクリートの打設方法。
【請求項８】
トンネルの内周面との間に覆工コンクリートの打設空間を形成する型枠と、請求項１〜請求項５のいずれか１項に記載の打設装置における圧送管とを備えていることを特徴とする、移動式セントル。
【発明の詳細な説明】
【技術分野】
【０００１】
本発明は、トンネルの内壁に覆工コンクリートを打設する装置及び方法、並びに移動式セントルに関する。
【背景技術】
【０００２】
一般に、トンネルの内面をコンクリートで二次覆工するには、トンネル縦断方向（前後方向）に移動可能なスライドセントル（移動式セントル）をトンネル内に進入させ、このスライドセントルに設けられたアーチ状の型枠とトンネル内周面との間に覆工コンクリートの打設空間を形成し、コンクリートポンプによって圧送された覆工コンクリートを打設空間に流し込む方法が採られている。
【０００３】
また、下記特許文献１には、コンクリートポンプに一端が接続された配管（ここでは、仮に「第１の配管」という）の他端を配管切替装置に接続し、さらに、この配管切替装置に、４本の配管（同「第２の配管」という）を接続し、この４本の第２の配管を、それぞれ型枠の前部側における幅方向（左右方向）両側、後部側における幅方向両側の計４箇所に向けて配設することが開示されている。そして、特許文献１記載の技術は、配管切替装置によって４本の第２の配管を切り替えることにより、コンクリートポンプによって圧送された覆工コンクリートを、型枠の前後左右の４箇所に順番に打設するように構成されている。なお、型枠の前後左右の各箇所においては、さらに、第２の配管の先端が別の配管切替装置に接続され、この配管切替装置に３本の配管（同「第３の配管」という）が接続されている。そして、当該配管切替装置によって３本の第３の配管を切り替えることにより、型枠の下段、中段、上段に順番に覆工コンクリートを打設するように構成されている。
【０００４】
また、下記特許文献２には、コンクリートポンプに一端が接続された圧送管を、型枠内の中央部へトンネル縦断方向に延設し、この圧送管の先端部にトンネル幅方向両側に延びる２本の第１分岐管を接続し、それぞれの第１分岐管の先端部に、トンネル縦断方向に分岐する３本の第２分岐管を接続することが開示されている。そして、特許文献２記載の技術は、コンクリートポンプによって圧送された覆工コンクリートを圧送管から第１分岐管、第２分岐管を介して型枠の左右両側における前部、中間部、後部の計６箇所に同時に打設するように構成されている。
【先行技術文献】
【特許文献】
【０００５】
【特許文献１】特開２０１３−１０８２４３号公報
【特許文献２】特開２００１−２８００９４号公報
【発明の概要】
【発明が解決しようとする課題】
【０００６】
特許文献１記載の技術では、型枠の前後左右の４箇所に順番に覆工コンクリートを打設しているので、左右方向の片側のみ、或いは前後方向の片側のみに覆工コンクリートが打設される状態が必ず生じる。このように左右方向の片側のみに覆工コンクリートが打設されると、打設済みの覆工コンクリートからの荷重が型枠に対して左右一方向に付与され、この荷重によって型枠が左右方向に関して偏心してしまう可能性がある。また、前後方向の片側のみに覆工コンクリートが打設されると、当該覆工コンクリートが前後方向に大きく拡がり、覆工コンクリートの材料である骨材とセメントペーストとが分離し易くなるという問題もある。また、型枠の前後左右の４箇所に分けて個別に覆工コンクリートを打設し、前後左右の各箇所においても下段、中段、上段に分けて個別にコンクリートを打設するため、各打設箇所への移行に必要な時間が長くなり、その結果、コールドジョイントが発生する可能性も高くなる。
そして、以上のいずれの問題も、覆工コンクリートの品質低下に繋がるため、これらを解消することが重要である。
【０００７】
一方、特許文献２記載の技術では、型枠の左右両側における前部、中間部、及び後部に同時に覆工コンクリートを打設することができるため、特許文献１記載の技術の問題を一気に解消できるかにみえる。しかしながら、実際のところは、一本の圧送管から最終的に６本の第２分岐管に分岐され、しかも各第２分岐管の形状が相互に異なるため、各第２分岐管における覆工コンクリートの流動抵抗も大きく異なり、前後左右の６箇所へ流し込まれる覆工コンクリートの量に偏りが生じる。特に、特許文献２の場合、曲がり管を含む前後両側の第２分岐管で流動抵抗が極めて高くなり、直管からなる前後中間部の第２分岐管からより多くの覆工コンクリートが流し込まれるため、打設された覆工コンクリートは型枠の前後中間部から前後両側に大きく拡がり、材料の分離が生じ易くなる。また、特許文献２には、３本の第２分岐管からの覆工コンクリートの流出量を、各第２分岐管に設けたバルブによって均等にすることが記載されているが、粘性を有する覆工コンクリートの流出量をバルブの調整のみによって均等にするのは極めて困難である。
【０００８】
本発明は、このような実情に鑑みてなされたものであり、覆工コンクリートの品質の向上を図ることを目的とする。
【課題を解決するための手段】
【０００９】
本発明は、トンネルの内周面と型枠との間に形成された打設空間に覆工コンクリートを打設する装置であって、
同時に駆動可能な複数のコンクリートポンプと、
各コンクリートポンプに個別に接続され、前記打設空間に覆工コンクリートを導く複数の圧送管とを備え、
前記各圧送管は、前記型枠内のトンネル幅方向中心においてトンネル縦断方向に延びる主配管と、前記主配管からトンネル幅方向両側へ、トンネル幅方向中心を基準に対称に分岐する枝配管とを含み、
前記複数の圧送管は、互いに前記主配管が前記型枠内のトンネル幅方向の中心において上下に並べて配設され、
前記複数の圧送管は、それぞれの前記枝配管を介してトンネル縦断方向の異なる位置に覆工コンクリートを打設するべく互いに前記枝配管がトンネル縦断方向に関して異なる位置に配設されていることを特徴とする。
【００１０】
この構成によれば、複数のコンクリートポンプを同時に駆動することによって、トンネル縦断方向の複数箇所において、トンネル幅方向の両側に同時に覆工コンクリートを打設することができる。したがって、覆工コンクリートを短時間で打設することが可能となる。また、トンネル幅方向の片側のみに覆工コンクリートが打設されることがなく、型枠にトンネル幅方向の一方に向いた荷重のみが作用することもないので、型枠の偏心を防止することができる。特に、トンネル縦断方向の各箇所においては、同一のコンクリートポンプから圧送された覆工コンクリートがトンネル幅方向の両側に振り分けて打設されるので、トンネル幅方向両側に均等に覆工コンクリートを打設することができ、型枠の偏心をより確実に防止することができる。
【００１１】
また、トンネル縦断方向の複数箇所に同時に覆工コンクリートが打設されるので、覆工コンクリートのトンネル縦断方向の拡がりを抑制することができ、覆工コンクリートの材料分離を防止することができる。
本発明においては、トンネル幅方向の各側において、トンネル縦断方向の複数箇所には、上記特許文献２のように一つの配管から前後に分岐された複数の分岐管ではなく、互いに異なるコンクリートポンプに接続された複数の圧送管から覆工コンクリートが打設されるので、複数の圧送管の形状（直線形状や曲げ形状等）を同一に形成し易くなり、両配管からの覆工コンクリートの流出量を容易に均等にすることができる。
また、トンネル縦断方向及び幅方向の複数箇所に同時に覆工コンクリートが打設されるので、打設箇所の移行のための圧送管の繋ぎ替え等を少なくし、当該移行に必要な時間を短縮することができ、これによってコールドジョイントの発生を防止することができる。  以上により、より品質の高い覆工コンクリートを構築することが可能となる。
【００１２】
前記各圧送管は、前記型枠内のトンネル幅方向中心においてトンネル縦断方向に延びる主配管と、前記主配管からトンネル幅方向両側へ、トンネル幅方向中心を基準に対称に分岐する枝配管とを含む。
前記主配管は、前記型枠内においてトンネル幅方向中心に配置されている。
このような構成によって、トンネル幅方向中心に配置された主配管から枝配管を介してトンネル幅方向の両側に均等にコンクリートを供給し易くなる。
【００１３】
また、前記複数の圧送管の主配管は、互いに上下に並べて配設されている。
このような構成によって、複数の主配管を共にトンネル幅方向中心に配置することができる。
前記複数のコンクリートポンプは、トンネル幅方向中央から幅方向外側へ外れた位置に配置されていることが好ましい。
また、より上位に配置された前記主配管がより下位に配置された前記主配管よりもトンネル縦断方向に短く形成されていることが好ましい。
【００１４】
前記枝配管には、覆工コンクリートの流量を調整する流量調整装置が設けられていることが好ましい。
このような構成によって、トンネル幅方向の両側に均等に覆工コンクリートが打設されるよう、覆工コンクリートの流量を調整することが可能となる。
【００１５】
前記枝配管には、覆工コンクリートの圧力を計測する圧力計が設けられていることが好ましい。
このような構成によって、トンネル幅方向の両側に均等にコンクリートが打設されているか否かを検出することが可能となる。
【００１６】
本発明は、トンネルの内周面と型枠との間に形成された打設空間に覆工コンクリートを打設する装置であって、
同時に駆動可能な複数のコンクリートポンプと、
各コンクリートポンプに個別に接続され、前記打設空間に覆工コンクリートを導く複数の圧送管とを備え、
前記複数の圧送管は、互いにトンネル縦断方向に関して異なる位置で、かつトンネル幅方向の両側に向けて配設され、
前記複数のコンクリートポンプが、トンネル幅方向中央から幅方向に外れた位置に配置されていることを特徴とする。
本発明は、上記の打設装置を用いてトンネルの内周面と型枠との間に形成された打設空間に覆工コンクリートを打設する方法であって、
複数のコンクリートポンプを同時に駆動して、トンネル縦断方向の複数位置においてトンネル幅方向の両側に同時に覆工コンクリートを打設することを特徴とする。
【００１７】
本発明の移動式セントルは、トンネルの内周面との間に覆工コンクリートの打設空間を形成する型枠と、上記の打設装置における圧送管とを備えていることを特徴とする。
【発明の効果】
【００１８】
本発明によれば、覆工コンクリートの品質の向上を図ることができる。
【図面の簡単な説明】
【００１９】
【図１】本発明の一実施形態に係る覆工コンクリートの打設装置を示す正面図である。
【図２】打設装置の全体側面図である。
【図３】打設装置の全体平面図である。
【図４】主配管と枝配管との接続部分の拡大図である。
【図５】（ａ）は従来の打設状態を示す説明図、（ｂ）は本発明の打設状態を示す説明図である。
【図６】移動式セントルの一部を示す正面図である。
【図７】変形例に係る覆工コンクリートの打設装置を示す正面図である。
【発明を実施するための形態】
【００２０】
以下、本発明の実施形態について図面を参照しながら説明する。
図１は、本発明の一実施形態に係る覆工コンクリートの打設装置を示す正面図、図２は、同打設装置の全体側面図、図３は、同打設装置の全体平面図である。
図１において、この打設装置は、一次覆工されたトンネルＴの内周面ｔ１に対して、二次覆工コンクリート（以下、単に「覆工コンクリート」という）Ｃを打設するものであり、トンネルＴの内周面ｔ１との間に覆工コンクリートＣの打設空間Ｄを形成するスライドセントル（移動式セントル）１と、覆工コンクリートＣ（生コンクリート）を圧送するコンクリートポンプＰＡ，ＰＢと、このコンクリートポンプＰＡ，ＰＢによって送られた覆工コンクリートＣを打設空間Ｄに導く圧送管１０Ａ，１０Ｂとを備えている。
【００２１】
図１に示されるように、スライドセントル１は、トンネルＴ内の床面に敷設されたレールＲ上を走行可能である。スライドセントル１は、坑口側（図２の左側）から切羽側（図２の右側）に向かって所定のスパンで順次セットされ、覆工コンクリートＣの打設空間Ｄ（図３参照）を形成するようになっている。なお、本明細書においては、トンネル縦断方向（延長方向）を前後方向ということがあり、トンネル幅方向を左右方向ということがある。また、トンネル縦断方向の坑口側を前側、切羽側を後側ということがある。
【００２２】
図１に示されるように、スライドセントル１は、トンネルＴ内を走行可能な門型台車２と、覆工コンクリートＣの内周面を成型するための堰板となる型枠３とを備えている。
門型台車２は、基台部２ａと、基台部２ａを支持する支柱２ｂとを備えている。支柱２ｂの下端には、トンネルＴの床面に敷設されたレールＲ上に係合する車輪２ｃが設けられており、この車輪２ｃがレールＲに沿って転動することで、門型台車２がトンネルＴ内を走行する。
【００２３】
型枠３は、トンネルＴの内周面ｔ１にほぼ沿う断面円弧状に形成され、所定のスパンの範囲で内周面ｔ１に対して間隔をあけて覆うようにセットされ、これにより、型枠３の外周面３ｂとトンネルＴの内周面ｔ１との間に覆工コンクリートＣが充填される打設空間Ｄが形成される。
【００２４】
型枠３は、覆工コンクリートＣの内周面を成型する型枠パネル３ｆと、この型枠パネル３ｆの内周側を補強する多数本の補強部材３ｇとを備えている。型枠パネル３ｆは、厚さ数ミリの板材により形成されている。補強部材３ｇは、溝型鋼等の鋼材により構成され、トンネルＴの縦断方向に沿って配置されている。
【００２５】
また、型枠３は、覆工コンクリートＣの天端部分を成型する上部３ｃと、上部３ｃの両端に回動可能に連結され、覆工コンクリートＣの側壁部分を成型する側部３ｄと、側部３ｄの下端に回動可能に連結され、覆工コンクリートＣの側壁部分の下端部を成型する下端部３ｅとを備えている。
上部３ｃは、門型台車２の基台部２ａ上に設けられた複数のジャッキ４により上下方向に昇降可能に支持されている。
【００２６】
型枠３の側部３ｄは、支柱２ｂの外側面に設けられた複数のジャッキ５ａによって門型台車２に連結されており、このジャッキ５ａを伸縮させることによって幅方向への回動が可能となっている。また、側部３ｄは、地面に支持されたジャッキ５ｂにも連結されている。このジャッキ５ｂは、下端部が地面に形成された凹部にはめ込まれた状態で支持されている。
【００２７】
型枠３の下端部３ｅも、側部３ｄと同様に、支柱２ｂの外側面に設けられたジャッキ６によって門型台車２に連結されており、このジャッキ６の伸縮によって内外方向への回動が可能である。
このように、型枠３は、基台部２ａの上面及び支柱２ｂの外側面等に設けられた複数のジャッキ（支持部材）４，５ａ，５ｂ，６によって門型台車２等に連結・支持されており、各ジャッキ４，５ａ，５ｂ，６を伸縮させることにより、型枠３全体を門型台車２に対して昇降可能でかつ幅寸法の調整が可能となっている。
【００２８】
型枠パネル３ｆにおける上部３ｃ及び側部３ｄには、複数の開口部３ｈが前後方向及び左右方向に並べて形成されている。また、各開口部３ｈは、蓋体３ｊによって開閉可能に構成されている。そして、この開口部３ｈは、覆工コンクリートＣを打設空間Ｄに流し込むため、或いは、打設状態を点検するため、或いは、打設空間Ｄに締固め用バイブレータ（図示省略）を挿入するため等の目的で用いられる。
【００２９】
本実施形態の打設装置は、複数台（図示例では２台）のコンクリートポンプＰＡ，ＰＢを備えている。各コンクリートポンプＰＡ，ＰＢは、それぞれ車両（コンクリートポンプ車）に搭載されている。２台のコンクリートポンプＰＡ，ＰＢは、スライドセントル１よりも坑口側において左右に並べて設置され、それぞれコンクリートミキサー車２０から覆工コンクリート（生コンクリート）が供給される。そして、各コンクリートポンプＰＡ，ＰＢは、供給された覆工コンクリートＣを、圧送管１０Ａ，１０Ｂを介してスライドセントル１側へ圧送し、トンネルＴの内周面ｔ１と型枠３との間の打設空間Ｄに流し込む。
【００３０】
圧送管１０Ａ，１０Ｂは、主配管１１Ａ，１１Ｂと、この主配管１１Ａ，１１Ｂから分岐する枝配管１２Ａ，１２Ｂと、各枝配管１２Ａ，１２Ｂの終端部に接続される端部配管１３Ａ，１３Ｂとを有している。
主配管１１Ａ，１１Ｂは、一端がコンクリートポンプＰＡ，ＰＢに接続され、他端側がスライドセントル１の型枠３の内側に配設されている。具体的に、主配管１１Ａ，１１Ｂは、コンクリートポンプＰＡ，ＰＢから前後方向に延びる第１部分１１Ａ１，１１Ｂ１と、この第１部分１１Ａ１，１１Ｂ１の後端から左右内側（トンネル幅方向の中央側）へ延びる第２部分１１Ａ２，１１Ｂ２と、トンネルの左右中央において第２部分１１Ａ２，１１Ｂ２から後方（切羽側）に延びる第３部分１１Ａ３，１１Ｂ３とを有している。
【００３１】
一方のコンクリートポンプＰＡに接続された圧送管１０Ａの第３部分１１Ａ３と、他方のコンクリートポンプＰＢに接続された圧送管１０Ｂの第３部分１１Ｂ３とは、図２に示されるように、互いに平行な状態で上下に並べて配置されている。そして、上下の第３部分１１Ａ３，１１Ｂ３は、互いに長さが異なり、上位に配置された一方の第３部分１１Ａ３の後端は、型枠３の前部側に配置され、下位に配置された他方の第３部分１１Ｂ３の後端は、型枠３の後部側に配置されている。
【００３２】
図３に示されるように、各第３部分１１Ａ３，１１Ｂ３の後端には、それぞれ分岐管１４を介して複数（図示例では２本）の枝配管１２Ａ，１２Ｂが接続されている。分岐管１４は、図４に拡大して示すように、Ｙ字形状に形成され、１つの合流部分１４ａに主配管１１Ａ，１１Ｂが接続され、２つの分岐部分１４ｂに枝配管１２Ａ，１２Ｂが接続されている。枝配管１２Ａ，１２Ｂは、分岐管１４から約９０度湾曲してトンネル幅方向の両側に延びている。
【００３３】
図１に示されるように、各枝配管１２Ａ，１２Ｂには、内部を流れる覆工コンクリートＣの圧力を計測する圧力計１６と、流量を調整する流量調整バルブ１７とが設けられている。
各枝配管１２Ａ，１２Ｂの左右方向の外端部には、３本の端部配管１３Ａ，１３Ｂが順次切り換えて接続される。この３本の端部配管１３Ａ，１３Ｂのうち２本は、型枠３の側部３ｄに設けられた下部側及び上部側の開口部３ｈを介して打設空間Ｄに挿入されている。残りの１本は、型枠３の上部３ｃの幅方向端部に形成された開口部３ｈに接続されている。そして、打設空間Ｄに覆工コンクリートＣを打設する際には、枝配管１２Ａ，１２Ｂが下段、中段、上段の順で各端部配管１３Ａ，１３Ｂに切り換えて接続される。
なお、図１においては、理解を容易にするために、上下３本の端部配管１３Ａ，１３Ｂに対して上段側から順に（Ｕ），（Ｍ），（Ｌ）の符号を付記している。
【００３４】
圧送管１０Ａ，１０Ｂを流れる覆工コンクリートＣの流動抵抗は、圧送管１０Ａ，１０Ｂの太さや曲げ形状、また覆工コンクリートＣの圧送高さ等に大きく影響される。本実施形態では、図１に示されるように、各主配管１１Ａ，１１Ｂから分岐する左右の枝配管１２Ａ，１２Ｂ同士、及びこれらに接続される左右の端部配管１３Ａ，１３Ｂ同士は、トンネル幅方向中心を基準に左右対称形状に形成され、左右対称の高さに配設されている。そのため、左右の枝配管１２Ａ，１２Ａや左右の端部配管１３Ａ，１３Ｂを流れる覆工コンクリートの流動抵抗を略同一とすることができる。
【００３５】
また、型枠３の左右各側において、前後に並ぶ枝配管１２Ａ，１２Ｂ同士は、基端部側の高さが若干異なるものの、略同一形状で、略同一高さに配設されている。また、前後に並ぶ端部配管１３Ａ，１３Ｂ同士も、略同一形状で略同一の高さに配設されている。したがって、これらの枝配管１２Ａ，１２Ｂや、端部配管１３Ａ，１３Ｂを流れる覆工コンクリートの流動抵抗も略同一とすることができる。
【００３６】
また、主配管１１Ａ，１１Ｂにおける第３部分１１Ａ３，１１Ｂ３は、上位に配置されたもの１１Ａ３が、下位に配置されたもの１１Ｂ３よりも前後方向に短く形成されている。覆工コンクリートＣは、より高い位置に圧送するほど流動抵抗（又は流動させるのに必要な圧力）も大きくなるので、上位に配置された第３部分１１Ａ３を短くし、その主配管１１Ａによる圧送距離を短くすることによって、下位に配置された第３部分１１Ｂ３を含む主配管１１Ｂとの間で覆工コンクリートＣの流動抵抗の差を小さくすることができる。
【００３７】
覆工コンクリートＣの天端部は、主配管１１Ａ，１１Ｂの第３部分１１Ａ３，１１Ｂ３を、型枠３の頂部（左右中央部）の開口部３ｈに接続された複数本（図２に示す例では４本）の吹き上げ管１５に繋ぎ替えることによって打設することができる。
【００３８】
以上の構成において、トンネルＴの内周面ｔ１に覆工コンクリートＣを打設するには、まず、各圧送管１０Ａ，１０Ｂの枝配管１２Ａ，１２Ｂの終端部を最下段の端部配管１３Ａ，１３Ｂ（Ｌ）に接続しておく。そして、２台のコンクリートポンプＰＡ，ＰＢを同時に駆動し、各コンクリートポンプＰＡ，ＰＢから圧送管１０Ａ，１０Ｂを介して型枠３の前後２箇所において、左右両側の打設空間Ｄの最下部に覆工コンクリートＣを流し込む。
【００３９】
打設空間Ｄに流し込まれた覆工コンクリートＣが最下段の端部配管１３Ａ，１３Ｂ（Ｌ）の近傍まで上昇すると、コンクリートポンプＰＡ，ＰＢを停止するとともに、全ての枝配管１２Ａ，１２Ｂから最下段の端部配管１３Ａ，１３Ｂ（Ｌ）を取り外し、中段の端部配管１３Ａ，１３Ｂ（Ｍ）に繋ぎ替える。また、最下段の端部配管１３Ａ，１３Ｂ（Ｌ）を開口部３ｈから抜き取って当該開口部３ｈを蓋体３ｊによって閉鎖する。その後、再び、２台のコンクリートポンプＰＡ，ＰＢを同時に駆動して打設空間Ｄに覆工コンクリートＣを流し込む。
【００４０】
打設空間Ｄに流し込まれた覆工コンクリートＣが中段の端部配管１３Ａ，１３Ｂ（Ｍ）の近傍まで上昇すると、コンクリートポンプＰＡ，ＰＢを停止するとともに、全ての枝配管１２Ａ，１２Ｂから中段の端部配管１３Ａ，１３Ｂ（Ｍ）を取り外し、上段の端部配管１３Ａ，１３Ｂ（Ｕ）に繋ぎ替える。また、中段の端部配管１３Ａ，１３Ｂ（Ｍ）を開口部３ｈから抜き取って当該開口部３ｈを蓋体３ｊによって閉鎖する。その後、再び、コンクリートポンプＰＡ，ＰＢを駆動して打設空間Ｄに覆工コンクリートＣを流し込む。
【００４１】
打設空間Ｄに流し込まれた覆工コンクリートＣが上段の端部配管１３Ａ，１３Ｂ（Ｕ）の高さにまで上昇しても、そのまま続けて覆工コンクリートＣを流し込み、端部配管１３Ａ，１３Ｂ（Ｕ）よりも上側に覆工コンクリートを圧入する。そして、図６に示されるように、覆工コンクリートＣが型枠３の頂点付近にまで上昇すると、コンクリートポンプＰＡ，ＰＢを停止して主配管１１Ａ，１１Ｂを吹き上げ管１５に接続し、型枠３の頂点部分からトンネルＴの天端部に覆工コンクリートＣを打設する。
【００４２】
以上説明したように、本実施形態の打設装置においては、型枠３の前後左右の４箇所において、同時に覆工コンクリートＣを打設することができる。そのため、打設された覆工コンクリートＣによって型枠３には左右方向の両側から荷重Ｆ（図１参照）が付与される。そのため、型枠３が左右方向に関して偏心してしまうのを防止することができ、安定した状態で覆工コンクリートＣの打設を行うことができる。
【００４３】
また、一方のコンクリートポンプＰＡから圧送された覆工コンクリートＣは、型枠３の前部側における左右方向両側に同時に打設され、他方のコンクリートポンプＰＢから圧送された覆工コンクリートＣは、型枠３の後部側における左右方向両側に同時に打設される。そのため、型枠３の前部側及び後部側のそれぞれにおいて、左右略均等に覆工コンクリートＣを打設することができる。
【００４４】
各主配管１１Ａ，１１Ｂから左右両側に分岐した各枝配管１２Ａ，１２Ｂには、圧力計１６と流量調整バルブ１７とが設けられているので、左右の枝配管１２Ａ，１２Ｂを流れる覆工コンクリートＣの圧力を圧力計１６により計測し、両計測値が同じとなるように流量調整バルブ１７を調整することができる。これにより、型枠３の左右両側に、より均等に覆工コンクリートＣを打設することが可能となる。
【００４５】
本実施形態においては、地面によって支持されたジャッキ５ｂ（図１参照）が型枠３の側部３ｄに連結されているので、型枠３に左右両側から同時に荷重Ｆが付与された場合であっても、当該荷重Ｆを地面によっても好適に受けることができる。
また、本実施形態においては、図６に示されるように、最上段の端部配管１３Ａ，１３Ｂ（Ｕ）が、型枠３への接続部分よりも下側だけでなく上側にも覆工コンクリートＣ（図６に２点差線のハッチングで示す）を吹き上げて打設するように構成されているので、当該端部配管１３Ａ，１３Ｂ（Ｕ）から広範囲に覆工コンクリートＣを打設することができ、覆工コンクリートＣが型枠３の頂点に到るまでは、当該頂点部分に設けられた開口部３ｈから打設状態の点検やバイブレータによる締固めを行うことができ、施工性を高めることができる。また、本実施形態では、枝配管１２Ａ，１２Ｂに圧力計１６と流量調整バルブ１７とが設けられているので、左右の端部配管１３Ａ，１３Ｂから供給された覆工コンクリートＣのレベルが型枠３の頂点において同一となるように適切に流量を調整することができる。
【００４６】
従来（例えば、特許文献１参照）のように、型枠３の前後方向の一箇所から覆工コンクリートＣが打設される場合、図５（ａ）に示されるように覆工コンクリートＣが前後方向に大きく拡がって流れ、特に覆工コンクリートＣの材料のうちのセメントペーストＣ２が前後方向に拡がって流れ、骨材Ｃ１と分離し易くなる。これに対して本実施形態では、図５（ｂ）に示されるように、型枠３の前後２箇所に同時に覆工コンクリートＣが打設されるので、当該覆工コンクリートＣの前後方向の広がりを抑制することができ、材料の分離も少なくすることができる。
【００４７】
特に、本実施形態では、型枠３の左右各側において、型枠３の前後２箇所には、異なるコンクリートポンプＰＡ，ＰＢから圧送された覆工コンクリートＣが打設され、図１に示されるように、前後に並ぶ枝配管１２Ａ，１２Ｂ同士、及び端部配管１３Ａ，１３Ｂ同士は、略同一形状で略同一高さに配設されているため、覆工コンクリートＣの流動抵抗も略同一となっている。そのため、型枠３の前後２箇所に対して略均等に覆工コンクリートＣを打設することができ、上記のような材料の分離を好適に防止することができる。
【００４８】
本実施形態では、２台のコンクリートポンプＰＡ，ＰＢを同時に駆動して覆工コンクリートＣを打設しているので、従来のように１台のコンクリートポンプを用いる場合に比べて覆工コンクリートの圧送量（供給量）を増大させることができる。そのため、覆工コンクリートＣの打設に要する時間を短縮することができる。実際の作業現場においては、覆工コンクリートＣが打設されると、通常、その翌日における特定時間に型枠３が脱型されるので、覆工コンクリートＣの打設に要する時間を短縮することによって、脱型までの養生時間（硬化時間）をより長くすることができ、覆工コンクリートＣの圧縮強度を高めることが可能となる。
【００４９】
図７は、変形例に係る覆工コンクリートの打設装置を示す正面図である。
この変形例では、型枠３の側部３ｄに連結されるジャッキ５ｂが、レールＲに支持されており、覆工コンクリートＣからの左右方向の荷重ＦをレールＲで受けるようにしたものである。さらに、レールＲに付与される左右方向内方への荷重を支持するために、左右のレールＲの間には、棒状の内梁部材１９が架設されている。その他の構成は、上記実施形態と同様であるため、詳細な説明を省略する。
【００５０】
本発明は、上記各実施形態に限定されることものではなく、特許請求の範囲に記載された発明の範囲内で適宜変更することができる。
例えば、圧送管１０Ａ，１０Ｂにおける複数本の端部配管１３Ａ，１３Ｂは、従来技術（特許文献１）に開示されているような配管切替装置を介して枝配管１２Ａ，１２Ｂに接続されていてもよい。このような配管切替装置を用いることで、複数本の端部配管１３Ａ，１３Ｂの繋ぎ替えを省略し、短時間で端部配管１３Ａ，１３Ｂを切り換えることができる。
【００５１】
また、上記実施形態では、２台のコンクリートポンプＰＡ，ＰＢを用いていたが、３台以上のコンクリートポンプを用いてもよい。この場合、各コンクリートポンプから型枠３の前後方向の３箇所以上に向けて圧送管（第３配管）を配設すればよい。
主配管１１Ａ，１１Ｂにおける第３部分１１Ａ３，１１Ｂ３は、必ずしも型枠３の左右方向中央に配置されていなくてもよく、２本の第３部分１１Ａ３，１１Ｂ３は左右に並べて配置されていてもよい。
【符号の説明】
【００５２】
１        ：スライドセントル（移動式セントル）
３        ：型枠
１０Ａ    ：圧送管
１０Ｂ    ：圧送管
１１Ａ    ：主配管
１１Ａ３  ：第３部分
１１Ｂ    ：主配管
１１Ｂ３  ：第３部分
１２Ａ    ：枝配管
１２Ｂ    ：枝配管
１６      ：圧力計
１７      ：流量調整バルブ（流量調整装置）
Ｃ        ：覆工コンクリート
Ｄ        ：打設空間
ＰＡ      ：コンクリートポンプ
ＰＢ      ：コンクリートポンプ
Ｔ        ：トンネル
ｔ１      ：内周面
【図１】
0005843293.tif 000002
【図２】
0005843293.tif 000003
【図３】
0005843293.tif 000004
【図４】
0005843293.tif 000005
【図５】
0005843293.tif 000006
【図６】
0005843293.tif 000007
【図７】
0005843293.tif 000008